(57)【要約】【課題】移動局ＵＥに関するハンドオーバ手順が完了した後に、コアネットワーク装置ＣＮが、再度、同一の「Ｌｏｃａｔｉｏｎ  Ｒｅｐｏｒｔｉｎｇ  Ｃｏｎｔｒｏｌメッセージ」を送信することなく、当該移動局ＵＥの位置情報を取得する。【解決手段】本発明の移動通信方法は、交換機ＭＭＥが、第１無線基地局ｅＮＢに対して移動局ＵＥの位置情報を報告するように指示する位置情報報告指示を送信する工程と、第１無線基地局ｅＮＢが、位置情報報告指示に従って移動局ＵＥの位置情報を交換機ＭＭＥに対して報告する工程と、移動局ＵＥが、第１無線基地局ｅＮＢから第２無線基地局ｅＮＢにハンドオーバを行う場合に、第１無線基地局ｅＮＢが、第２無線基地局ｅＮＢに対して位置情報報告指示を送信する工程と、第２無線基地局ｅＮＢが、位置情報報告指示に従って移動局ＵＥの位置情報を交換機ＭＭＥに対して報告する工程とを有する。【選択図】図２
2010119131.tif 000002
【特許請求の範囲】
【請求項１】
コアネットワーク装置が、第１無線基地局に対して、移動局の位置情報を報告するように指示する位置情報報告指示を送信する工程Ａと、
前記第１無線基地局が、前記位置情報報告指示に従って、前記移動局の位置情報を前記コアネットワーク装置に対して報告する工程Ｂと、
前記移動局の前記第１無線基地局から第２無線基地局へのハンドオーバ手順において、該第２無線基地局に対して、前記位置情報報告指示を送信する工程Ｃと、
前記第２無線基地局が、前記位置情報報告指示に従って、前記移動局の位置情報を前記コアネットワーク装置に対して報告する工程Ｄとを有することを特徴とする移動通信方法。
【請求項２】
前記工程Ｃにおいて、前記第１無線基地局が、前記第２無線基地局に対して、前記位置情報報告指示を送信することを特徴とする請求項１に記載の移動通信方法。
【請求項３】
前記工程Ｃにおいて、前記コアネットワーク装置が、前記第２無線基地局に対して、前記位置情報報告指示を送信することを特徴とする請求項１に記載の移動通信方法。
【請求項４】
前記位置情報報告指示は、前記移動局の位置情報として、該移動局との間で無線通信リンクを確立している無線基地局の位置情報を報告するように指示することを特徴とする請求項１乃至３のいずれか一項に記載の移動通信方法。
【請求項５】
前記位置情報報告指示は、前記移動局の位置情報として、該移動局との間で無線通信リンクを確立している無線基地局配下のセルの位置情報を報告するように指示することを特徴とする請求項１乃至３のいずれか一項に記載の移動通信方法。
【請求項６】
前記位置情報報告指示は、前記移動局の位置情報として、該移動局との間で無線通信リンクを確立している無線基地局配下のセルの識別情報を報告するように指示することを特徴とする請求項１乃至３のいずれか一項に記載の移動通信方法。
【請求項７】
前記位置情報報告指示は、前記移動局の位置情報の報告方法を指示することを特徴とする請求項１乃至６のいずれか一項に記載の移動通信方法。
【請求項８】
コアネットワーク装置又は他の無線基地局が、無線基地局に対して、移動局の位置情報を報告するように指示する位置情報報告指示を送信する工程と、
前記無線基地局が、前記位置情報報告指示に従って、前記移動局の位置情報を前記コアネットワーク装置に対して報告する工程と、
前記移動局が、前記無線基地局配下の第１セルから第２セルへハンドオーバする場合に、該無線基地局が、前記位置情報報告指示に従って、該移動局の位置情報を前記コアネットワーク装置に対して報告する工程とを有することを特徴とする移動通信方法。
【請求項９】
コアネットワーク装置から、移動局の位置情報を報告するように指示する位置情報報告指示を受信するように構成されている位置情報報告指示受信部と、
前記移動局との間で無線通信リンクを確立している場合、前記位置情報報告指示に従って、該移動局の位置情報を前記コアネットワーク装置に対して報告するように構成されている位置情報報告部と、
前記移動局が、他の無線基地局にハンドオーバを行う場合に、該他の無線基地局に対して、前記位置情報報告指示を送信するように構成されている位置情報報告指示送信部とを具備することを特徴とする無線基地局。
【請求項１０】
前記位置情報報告指示は、前記移動局の位置情報として、該移動局との間で無線通信リンクを確立している無線基地局の位置情報を報告するように指示することを特徴とする請求項９に記載の無線基地局。
【請求項１１】
前記位置情報報告指示は、前記移動局の位置情報として、該移動局との間で無線通信リンクを確立している無線基地局配下のセルの位置情報を報告するように指示することを特徴とする請求項９に記載の無線基地局。
【請求項１２】
前記位置情報報告指示は、前記移動局の位置情報として、該移動局との間で無線通信リンクを確立している無線基地局配下のセルの識別情報を報告するように指示することを特徴とする請求項９に記載の無線基地局。
【請求項１３】
前記位置情報報告指示は、前記移動局の位置情報の報告方法を指示することを特徴とする請求項９乃至１２のいずれか一項に記載の無線基地局。
【請求項１４】
コアネットワーク装置又は他の無線基地局から、移動局の位置情報を報告するように指示する位置情報報告指示を受信するように構成されている位置情報報告指示受信部と、
前記移動局との間で無線通信リンクを確立している場合、前記位置情報報告指示に従って、該移動局の位置情報を前記コアネットワーク装置に対して報告するように構成されている位置情報報告部と、
前記移動局が、配下の第１セルから第２セルにハンドオーバを行う場合に、前記コアネットワーク装置に対して、該移動局の位置情報を報告するように構成されている位置情報報告部とを具備することを特徴とする無線基地局。
【発明の詳細な説明】
【技術分野】
【０００１】
本発明は、移動通信方法及び無線基地局に関する。
【背景技術】
【０００２】
３ＧＰＰのＷｏｒｋｉｎｇ  Ｇｒｏｕｐである「ＳＡ１」では、ＥＰＳ（Ｅｖｏｌｖｅｄ  Ｐａｃｋｅｔ  Ｓｙｓｔｅｍ）において、緊急通信（Ｅｍｅｒｇｅｎｃｙ  Ｃａｌｌ）や、警察傍受（Ｌａｗｆｕｌ  Ｉｎｔｅｒｃｅｐｔ）をサポートすることを規定している。
【０００３】
ここで、図１０を参照して、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）方式の移動通信システムで用いられる「Ｌｏｃａｔｉｏｎ  Ｒｅｐｏｒｔｉｎｇ手順（位置情報報告手順）」について説明する。
【０００４】
図１０に示すように、コアネットワーク装置ＣＮは、特定通信（例えば、緊急通信や警察傍受対象通信）を行っている移動局ＵＥの位置情報を報告するように指示する「Ｌｏｃａｔｉｏｎ  Ｒｅｐｏｒｔｉｎｇ  Ｃｏｎｔｒｏｌメッセージ」を、無線制御局ＲＮＣに対して送信するように構成されている。
【０００５】
ここで、「Ｌｏｃａｔｉｏｎ  Ｒｅｐｏｒｔｉｎｇ  Ｃｏｎｔｒｏｌメッセージ」を受信した無線制御局ＲＮＣは、当該移動局ＵＥの位置情報として、当該移動局ＵＥとの間で無線通信リンクを確立している無線基地局ＮｏｄｅＢの位置情報（例えば、経度情報及び緯度情報の地理的情報）、或いは、当該移動局ＵＥとの間で無線通信リンクを確立している無線基地局ＮｏｄｅＢ配下のセルの識別情報を報告するように構成されている。
【先行技術文献】
【非特許文献】
【０００６】
【非特許文献１】ＴＳ２２.２７８、「Ｓｅｒｖｉｃｅ  Ｒｅｑｕｉｒｅｍｅｎｔ  ｆｏｒ  Ｅｖｏｌｖｅｄ  Ｐａｃｋｅｔ  Ｃｏｒｅ」
【非特許文献２】ＴＳ３６.４２３、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｘ２  Ａｐｐｌｉｃａｔｉｏｎ  Ｐｒｏｔｏｃｏｌ（Ｘ２ＡＰ）
【非特許文献３】ＴＳ２３.４０１、「Ｇｅｎｅｒａｌ  Ｐａｃｋｅｔ  Ｒａｄｉｏ  Ｓｅｒｖｉｃｅ（ＧＰＲＳ）  Ｅｎｈａｎｃｅｍｅｎｔ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）
【発明の概要】
【発明が解決しようとする課題】
【０００７】
しかしながら、従来のＵＭＴＳ方式の移動通信システムにおける「Ｌｏｃａｔｉｏｎ  Ｒｅｐｏｒｔｉｎｇ手順」では、特定通信を行っている移動局ＵＥが、無線制御局ＲＮＣを跨ぐハンドオーバ（ＲＮＣ  Ｒｅｌｏｃａｔｉｏｎ）を行った場合には、ハンドオーバ先の無線制御装置ＲＮＣが、ハンドオーバ元の無線制御装置ＲＮＣにおいて受信されていた上述の「Ｌｏｃａｔｉｏｎ  Ｒｅｐｏｒｔｉｎｇ  Ｃｏｎｔｒｏｌ」メッセージの内容を引き継ぐことができないため、コアネットワーク装置ＣＮは、かかる移動局ＵＥに関するハンドオーバ手順の完了後に、再度、同一の「Ｌｏｃａｔｉｏｎ  Ｒｅｐｏｒｔｉｎｇ  Ｃｏｎｔｒｏｌメッセージ」を、ハンドオーバ先の無線制御装置ＲＮＣに対して送信しなければならないという問題点があった。
【０００８】
そこで、本発明は、上述の課題に鑑みてなされたものであり、移動局ＵＥに関するハンドオーバ手順が完了した後に、コアネットワーク装置ＣＮが、再度、同一の「Ｌｏｃａｔｉｏｎ  Ｒｅｐｏｒｔｉｎｇ  Ｃｏｎｔｒｏｌメッセージ」を送信することなく、当該移動局ＵＥの位置情報を取得することができる移動通信方法及び無線基地局を提供することを目的とする。
【課題を解決するための手段】
【０００９】
本発明の第１の特徴は、移動通信方法であって、コアネットワーク装置が、第１無線基地局に対して、移動局の位置情報を報告するように指示する位置情報報告指示を送信する工程Ａと、前記第１無線基地局が、前記位置情報報告指示に従って、前記移動局の位置情報を前記コアネットワーク装置に対して報告する工程Ｂと、前記移動局の前記第１無線基地局から第２無線基地局へのハンドオーバ手順において、該第２無線基地局に対して、前記位置情報報告指示を送信する工程Ｃと、前記第２無線基地局が、前記位置情報報告指示に従って、前記移動局の位置情報を前記コアネットワーク装置に対して報告する工程Ｄとを有することを要旨とする。
【００１０】
本発明の第１の特徴において、前記工程Ｃにおいて、前記第１無線基地局が、前記第２無線基地局に対して、前記位置情報報告指示を送信してもよい。
【００１１】
本発明の第１の特徴において、前記工程Ｃにおいて、前記コアネットワーク装置が、前記第２無線基地局に対して、前記位置情報報告指示を送信してもよい。
【００１２】
本発明の第１の特徴において、前記位置情報報告指示は、前記移動局の位置情報として、該移動局との間で無線通信リンクを確立している無線基地局の位置情報を報告するように指示してもよい。
【００１３】
本発明の第１の特徴において、前記位置情報報告指示は、前記移動局の位置情報として、該移動局との間で無線通信リンクを確立している無線基地局配下のセルの位置情報を報告するように指示してもよい。
【００１４】
本発明の第１の特徴において、前記位置情報報告指示は、前記移動局の位置情報として、該移動局との間で無線通信リンクを確立している無線基地局配下のセルの識別情報を報告するように指示してもよい。
【００１５】
本発明の第１の特徴において、前記位置情報報告指示は、前記移動局の位置情報の報告方法を指示してもよい。
【００１６】
本発明の第２の特徴は、無線基地局であって、コアネットワーク装置から、移動局の位置情報を報告するように指示する位置情報報告指示を受信するように構成されている位置情報報告指示受信部と、前記移動局との間で無線通信リンクを確立している場合、前記位置情報報告指示に従って、該移動局の位置情報を前記コアネットワーク装置に対して報告するように構成されている位置情報報告部と、前記移動局が、他の無線基地局にハンドオーバを行う場合に、該他の無線基地局に対して、前記位置情報報告指示を送信するように構成されている位置情報報告指示送信部とを具備することを要旨とする。
【００１７】
本発明の第２の特徴において、前記位置情報報告指示は、前記移動局の位置情報として、該移動局との間で無線通信リンクを確立している無線基地局の位置情報を報告するように指示してもよい。
【００１８】
本発明の第２の特徴において、前記位置情報報告指示は、前記移動局の位置情報として、該移動局との間で無線通信リンクを確立している無線基地局配下のセルの位置情報を報告するように指示してもよい。
【００１９】
本発明の第２の特徴において、前記位置情報報告指示は、前記移動局の位置情報として、該移動局との間で無線通信リンクを確立している無線基地局配下のセルの識別情報を報告するように指示してもよい。
【００２０】
本発明の第２の特徴において、前記位置情報報告指示は、前記移動局の位置情報の報告方法を指示してもよい。
【００２１】
本発明の第３の特徴は、移動通信方法であって、コアネットワーク装置又は他の無線基地局が、無線基地局に対して、移動局の位置情報を報告するように指示する位置情報報告指示を送信する工程と、前記無線基地局が、前記位置情報報告指示に従って、前記移動局の位置情報を前記コアネットワーク装置に対して報告する工程と、前記移動局が、前記無線基地局配下の第１セルから第２セルへハンドオーバする場合に、該無線基地局が、前記位置情報報告指示に従って、該移動局の位置情報を前記コアネットワーク装置に対して報告する工程とを有することを要旨とする。
【００２２】
本発明の第３の特徴は、無線基地局であって、コアネットワーク装置又は他の無線基地局から、移動局の位置情報を報告するように指示する位置情報報告指示を受信するように構成されている位置情報報告指示受信部と、前記移動局との間で無線通信リンクを確立している場合、前記位置情報報告指示に従って、該移動局の位置情報を前記コアネットワーク装置に対して報告するように構成されている位置情報報告部と、前記移動局が、配下の第１セルから第２セルにハンドオーバを行う場合に、前記コアネットワーク装置に対して、該移動局の位置情報を報告するように構成されている位置情報報告部とを具備することを要旨とする。
【発明の効果】
【００２３】
以上説明したように、本発明によれば、移動局ＵＥに関するハンドオーバ手順が完了した後に、コアネットワーク装置ＣＮが、再度、同一の「Ｌｏｃａｔｉｏｎ  Ｒｅｐｏｒｔｉｎｇ  Ｃｏｎｔｒｏｌ」メッセージを送信することなく、当該移動局ＵＥの位置情報を取得することができる移動通信方法及び無線基地局を提供することができる。
【図面の簡単な説明】
【００２４】
【図１】本発明の第１の実施形態に係る移動通信システムの全体構成図である。
【図２】本発明の第１の実施形態に係る無線基地局の機能ブロック図である。
【図３】本発明の第１の実施形態に係る交換機から無線基地局に送信される「Ｌｏｃａｔｉｏｎ  Ｒｅｐｏｒｔｉｎｇ  Ｃｏｎｔｒｏｌ」メッセージのフォーマットの一例を示す図である。
【図４】本発明の第１の実施形態に係る無線基地局から交換機に送信される「Ｌｏｃａｔｉｏｎ  Ｒｅｐｏｒｔ」メッセージのフォーマットの一例を示す図である。
【図５】本発明の第１の実施形態に係る移動通信システムにおけるＸ２ハンドオーバ手順を示すシーケンス図である。
【図６】本発明の第２の実施形態に係る移動通信システムの全体構成図である。
【図７】本発明の第２の実施形態に係る移動通信システムにおけるＳ１ハンドオーバ手順を示すシーケンス図である。
【図８】本発明の変更例２に係る移動通信システムにおけるＩｎｔｒａ-ｅＮＢハンドオーバ手順を示すシーケンス図である。
【図９】本発明の変更例３に係る移動通信システムにおけるＩｎｔｒａ-ｅＮＢハンドオーバ手順を示すシーケンス図である。
【図１０】従来の移動通信システムの問題点を説明するための図である。
【発明を実施するための形態】
【００２５】
（本発明の第１の実施形態に係る移動通信システム）
図１乃至図５を参照して、本発明の第１の実施形態に係る移動通信システムについて説明する。
【００２６】
本実施形態では、ＬＴＥ（Ｌｏｎｇ  Ｔｅｒｍ  Ｅｖｏｌｕｔｉｏｎ）方式の移動通信システムを例に挙げて説明するが、本発明は、かかる移動通信システム以外にも適用可能である。
【００２７】
具体的には、本実施形態では、図１に示すように、ＬＴＥ方式の移動通信システムにおいて、移動局ＵＥが、ハンドオーバ元無線基地局Ｓ-ｅＮＢ（Ｓｏｕｒｃｅ  ｅＮＢ）からハンドオーバ先無線基地局Ｔ-ｅＮＢ（Ｔａｒｇｅｔ  ｅＮＢ）にハンドオーバ（Ｘ２ハンドオーバ）を行う場合の例について説明する。
【００２８】
図２に示すように、本実施形態に係る無線基地局ｅＮＢは、位置情報報告指示受信部１１と、位置情報報告部１２と、位置情報報告指示転送部１３とを具備している。
【００２９】
位置情報報告指示受信部１１は、コアネットワーク装置ＣＮ（本実施形態では、交換機ＭＭＥ）又は他の無線基地局ｅＮＢから、移動局ＵＥの位置情報を報告するように指示する「Ｌｏｃａｔｉｏｎ  Ｒｅｐｏｒｔｉｎｇ  Ｃｏｎｔｒｏｌメッセージ（位置情報報告指示）」を受信するように構成されている。
【００３０】
例えば、位置情報報告指示受信部１１は、コアネットワーク装置ＣＮ（本実施形態では、交換機ＭＭＥ）又は他の無線基地局ｅＮＢから、特定通信（例えば、緊急通信や警察傍受対象通信や第３者位置情報要求対象通信）を行っている移動局ＵＥの位置情報を報告するように指示する「Ｌｏｃａｔｉｏｎ  Ｒｅｐｏｒｔｉｎｇ  Ｃｏｎｔｒｏｌメッセージ（位置情報報告指示）」を受信するように構成されていてもよい。
【００３１】
図３に、「Ｌｏｃａｔｉｏｎ  Ｒｅｐｏｒｔｉｎｇ  Ｃｏｎｔｒｏｌメッセージ」のフォーマットの一例を示す。
【００３２】
図３の「Ｒｅｐｏｒｔ  Ａｒｅａ」に示すように、「Ｌｏｃａｔｉｏｎ  Ｒｅｐｏｒｔｉｎｇ  Ｃｏｎｔｒｏｌメッセージ」は、移動局ＵＥの位置情報として、かかる移動局ＵＥとの間で無線通信リンクを確立している無線基地局ｅＮＢの位置情報（例えば、経度情報及び緯度情報の地理的情報（Ｇｅｏｇｒａｐｈｉｃａｌ  Ａｒｅａ））を報告するように指示してもよい。
【００３３】
また、図３の「Ｒｅｐｏｒｔ  Ａｒｅａ」に示すように、「Ｌｏｃａｔｉｏｎ  Ｒｅｐｏｒｔｉｎｇ  Ｃｏｎｔｒｏｌメッセージ」は、移動局ＵＥの位置情報として、かかる移動局ＵＥとの間で無線通信リンクを確立している無線基地局ｅＮＢ配下のセルの位置情報（例えば、経度情報及び緯度情報の地理的情報（Ｇｅｏｇｒａｐｈｉｃａｌ  Ａｒｅａ））を報告するように指示してもよい。
【００３４】
また、図３の「Ｒｅｐｏｒｔ  Ａｒｅａ」に示すように、「Ｌｏｃａｔｉｏｎ  Ｒｅｐｏｒｔｉｎｇ  Ｃｏｎｔｒｏｌメッセージ」は、移動局ＵＥの位置情報として、かかる移動局ＵＥとの間で無線通信リンクを確立している無線基地局ｅＮＢ配下のセルの識別情報（例えば、ＳＡＩ：Ｓｅｒｖｉｃｅ  Ａｒｅａ  Ｉｄｅｎｔｉｔｙ（ｃｅｌｌ  ｌｅｖｅｌ））を報告するように指示してもよい。
【００３５】
また、図３の「Ｅｖｅｎｔ」に示すように、「Ｌｏｃａｔｉｏｎ  Ｒｅｐｏｒｔｉｎｇ  Ｃｏｎｔｒｏｌメッセージ」は、移動局ＵＥの位置情報の報告方法を指示してもよい。
【００３６】
例えば、移動局ＵＥの位置情報の報告方法としては、「Ｌｏｃａｔｉｏｎ  Ｒｅｐｏｒｔｉｎｇ  Ｃｏｎｔｒｏｌメッセージ」を受信する毎に移動局ＵＥの位置情報を報告する方法や、定期的に移動局ＵＥの位置情報を報告する方法や、移動局ＵＥが無線通信リンクを確立しているセル（サービスエリア）が変更になった際に当該移動局ＵＥの位置情報を報告する方法等が想定される。
【００３７】
位置情報報告部１２は、「Ｌｏｃａｔｉｏｎ  Ｒｅｐｏｒｔｉｎｇ  Ｃｏｎｔｒｏｌメッセージ」によって指定された移動局ＵＥとの間で無線通信リンクを確立している場合、かかる「Ｌｏｃａｔｉｏｎ  Ｒｅｐｏｒｔｉｎｇ  Ｃｏｎｔｒｏｌメッセージ」に従って、かかる移動局ＵＥの位置情報を、コアネットワーク装置ＣＮ（交換機ＭＭＥ）に対して報告するように構成されている。
【００３８】
例えば、位置情報報告部１２は、図４に示す「Ｌｏｃａｔｉｏｎ  Ｒｅｐｏｒｔメッセージ」によって、かかる移動局ＵＥの位置情報を、コアネットワーク装置ＣＮ（交換機ＭＭＥ）に対して報告するように構成されていてもよい。
【００３９】
図４に示すように、「Ｌｏｃａｔｉｏｎ  Ｒｅｐｏｒｔメッセージ」には、移動局ＵＥの位置情報として、かかる移動局ＵＥとの間で無線通信リンクを確立している無線基地局ｅＮＢの位置情報（例えば、経度情報及び緯度情報の地理的情報（Ｇｅｏｇｒａｐｈｉｃａｌ  Ａｒｅａ））、かかる移動局ＵＥとの間で無線通信リンクを確立している無線基地局ｅＮＢ配下のセルの位置情報（例えば、経度情報及び緯度情報の地理的情報（Ｇｅｏｇｒａｐｈｉｃａｌ  Ａｒｅａ））、或いは、かかる移動局ＵＥとの間で無線通信リンクを確立している無線基地局ｅＮＢ配下のセルの識別情報（例えば、Ｓｅｒｖｉｃｅ  Ａｒｅａ（ｃｅｌｌ  ｌｅｖｅｌ））が含まれている。
【００４０】
なお、かかるセルの識別情報（ＳＡＩ）は、「ＰＬＭＮ（Ｐｕｂｌｉｃ  Ｌａｎｄ  Ｍｏｂｉｌｅ  Ｎｅｔｗｏｒｋ）  ＩＤ」と「ＬＡＣ（Ｌｏｃａｔｉｏｎ  Ａｒｅａ  Ｃｏｄｅ）」と「ＳＡＣ（Ｓｅｒｖｉｃｅ  Ａｒｅａ  Ｃｏｄｅ）」とによって構成されていてもよい。
【００４１】
また、位置情報報告部１２は、「Ｌｏｃａｔｉｏｎ  Ｒｅｐｏｒｔメッセージ」の代わりに、「Ｘ２ハンドオーバ手順」における「Ｐａｔｈ  Ｓｗｉｔｃｈ  Ｒｅｑｕｅｓｔ」によって、上述の移動局ＵＥの位置情報を、コアネットワーク装置ＣＮ（交換機ＭＭＥ）に対して報告するように構成されていてもよい。
【００４２】
位置情報報告指示転送部１３は、移動局ＵＥが、他の無線基地局ｅＮＢ（Ｔ-ｅＮＢ）にハンドオーバ（Ｘ２ハンドオーバ）を行う場合に（すなわち、移動局ＵＥに関するＸ２ハンドオーバ手順において）、かかる他の無線基地局ｅＮＢ（Ｔ-ｅＮＢ）に対して、上述の「Ｌｏｃａｔｉｏｎ  Ｒｅｐｏｒｔｉｎｇ  Ｃｏｎｔｒｏｌメッセージ（位置情報報告指示）」を送信するように構成されている。
【００４３】
例えば、かかる場合に、ハンドオーバ元無線基地局Ｓ-ｅＮＢの位置情報報告指示転送部１３は、図５に示す「Ｘ２ハンドオーバ手順」における「４.  Ｈａｎｄｏｖｅｒ  Ｒｅｑｕｅｓｔメッセージ」に、上述の「Ｌｏｃａｔｉｏｎ  Ｒｅｐｏｒｔｉｎｇ  Ｃｏｎｔｒｏｌメッセージ」の内容を挿入することによって、ハンドオーバ先無線基地局Ｔ-ｅＮＢに対して、かかる「Ｌｏｃａｔｉｏｎ  Ｒｅｐｏｒｔｉｎｇ  Ｃｏｎｔｒｏｌメッセージ」を送信するように構成されている。
【００４４】
なお、図５に示すように、ハンドオーバ元無線基地局Ｓ-ｅＮＢは、移動局ＵＥから受信した「５.  Ｍｅａｓｕｒｅｍｅｎｔ  Ｒｅｐｏｒｔｓ（測定報告）」に応じて、かかる移動局ＵＥを、ハンドオーバ先無線基地局Ｔ-ｅＮＢに対してハンドオーバ（Ｘ２ハンドオーバ）させることを決定した場合に、当該ハンドオーバ先無線基地局Ｔ-ｅＮＢに対して「４.  Ｈａｎｄｏｖｅｒ  Ｒｅｑｕｅｓｔメッセージ」を送信するように構成されている。
【００４５】
また、図５に示すように、ハンドオーバ先無線基地局Ｔ-ｅＮＢは、「１２.  Ｐａｔｈ  Ｓｗｉｔｃｈ  Ｒｅｑｕｅｓｔ」によって、移動局ＵＥの位置情報（例えば、上述のセルの識別情報等）を、交換局ＭＭＥに対して報告するように構成されている。
【００４６】
本実施形態に係る移動通信システムによれば、ハンドオーバ元無線基地局Ｓ-ｅＮＢが、ハンドオーバ先無線基地局Ｔ-ｅＮＢに対して、上述の「Ｌｏｃａｔｉｏｎ  Ｒｅｐｏｒｔｉｎｇ  Ｃｏｎｔｒｏｌメッセージ」の内容を含む「Ｈａｎｄｏｖｅｒ  Ｒｅｑｕｅｓｔメッセージ」を送信するように構成されているため、移動局ＵＥが、Ｘ２ハンドオーバを行った場合に（すなわち、移動局ＵＥに関するＸ２ハンドオーバ手順が完了した後に）、交換機ＭＭＥが、再度、ハンドオーバ先無線基地局Ｔ-ｅＮＢに対して、同一の「Ｌｏｃａｔｉｏｎ  Ｒｅｐｏｒｔｉｎｇ  Ｃｏｎｔｒｏｌ」メッセージを送信することなく、当該移動局ＵＥの位置情報を取得することができる。
【００４７】
（本発明の第２の実施形態に係る移動通信システム）
図６及び図７を参照して、本発明の第２の実施形態に係る移動通信システムについて説明する。以下、本実施形態に係る移動通信システムについて、上述の第１の実施形態に係る移動通信システムとの相違点に着目して説明する。
【００４８】
具体的には、本実施形態では、図６に示すように、ＬＴＥ方式の移動通信システムにおいて、移動局ＵＥが、ハンドオーバ元サービングゲートウェイ装置Ｓ-Ｓ-ＧＷ（Ｓｏｕｒｃｅ  Ｓｅｒｖｉｎｇ  Ｇａｔｅｗａｙ）及びハンドオーバ元交換機Ｓ-ＭＭＥ（Ｓｏｕｒｃｅ  ＭＭＥ）配下のハンドオーバ元無線基地局Ｓ-ｅＮＢから、ハンドオーバ先サービングゲートウェイ装置Ｔ-Ｓ-ＧＷ（Ｔａｒｇｅｔ  Ｓｅｒｖｉｎｇ  Ｇａｔｅｗａｙ）及びハンドオーバ先交換機Ｔ-ＭＭＥ（Ｔａｒｇｅｔ  ＭＭＥ）配下のハンドオーバ先無線基地局Ｔ-ｅＮＢに、ハンドオーバ（Ｓ１ハンドオーバ）を行う場合の例について説明する。
【００４９】
ここで、位置情報報告指示転送部１３は、移動局ＵＥが、他の無線基地局ｅＮＢ（Ｔ-ｅＮＢ）にハンドオーバ（Ｓ１ハンドオーバ）を行う場合に（すなわち、移動局ＵＥに関するＳ１ハンドオーバ手順において）、かかる他の無線基地局ｅＮＢ（Ｔ-ｅＮＢ）に対して、上述の「Ｌｏｃａｔｉｏｎ  Ｒｅｐｏｒｔｉｎｇ  Ｃｏｎｔｒｏｌメッセージ（位置情報報告指示）」を送信するように構成されている。
【００５０】
例えば、かかる場合に、ハンドオーバ元無線基地局Ｓ-ｅＮＢの位置情報報告指示転送部１３は、図７に示す「Ｓ１ハンドオーバ手順」における「２.  Ｈａｎｄｏｖｅｒ  Ｒｅｑｕｉｒｅｄメッセージ」に、上述の「Ｌｏｃａｔｉｏｎ  Ｒｅｐｏｒｔｉｎｇ  Ｃｏｎｔｒｏｌメッセージ」の内容を挿入することによって、ハンドオーバ先無線基地局Ｔ-ｅＮＢに対して、かかる「Ｌｏｃａｔｉｏｎ  Ｒｅｐｏｒｔｉｎｇ  Ｃｏｎｔｒｏｌメッセージ」を送信するように構成されている。
【００５１】
なお、ハンドオーバ元無線基地局Ｓ-ｅＮＢは、移動局ＵＥから受信した「Ｍｅａｓｕｒｅｍｅｎｔ  Ｒｅｐｏｒｔｓ（測定報告）」に応じて、かかる移動局ＵＥを、ハンドオーバ先無線基地局Ｔ-ｅＮＢに対してハンドオーバ（Ｓ１ハンドオーバ）させることを決定した場合に、当該ハンドオーバ先無線基地局Ｔ-ｅＮＢに対して「２.  Ｈａｎｄｏｖｅｒ  Ｒｅｑｕｉｒｅｄメッセージ」を送信するように構成されている。
【００５２】
具体的には、図７に示すように、第１に、ハンドオーバ元無線基地局Ｓ-ｅＮＢの位置情報報告指示転送部１３は、上述の「Ｌｏｃａｔｉｏｎ  Ｒｅｐｏｒｔｉｎｇ  Ｃｏｎｔｒｏｌメッセージ」の内容を含む「２.  Ｈａｎｄｏｖｅｒ  Ｒｅｑｕｉｒｅｄメッセージ」を、ハンドオーバ元交換機ＭＭＥに送信する。
【００５３】
第２に、「２.  Ｈａｎｄｏｖｅｒ  Ｒｅｑｕｉｒｅｄメッセージ」を受信したハンドオーバ元交換機ＭＭＥは、ハンドオーバ先交換機Ｔ-ＭＭＥに対して、上述の「Ｌｏｃａｔｉｏｎ  Ｒｅｐｏｒｔｉｎｇ  Ｃｏｎｔｒｏｌメッセージ」の内容を含む「３.  Ｆｏｒｗａｒｄ  Ｒｅｌｏｃａｔｉｏｎ  Ｒｅｑｕｅｓｔメッセージ」を送信する。
【００５４】
第３に、「３.  Ｆｏｒｗａｒｄ  Ｒｅｌｏｃａｔｉｏｎ  Ｒｅｑｕｅｓｔメッセージ」を受信したハンドオーバ先交換機Ｔ-ＭＭＥは、ハンドオーバ先サービングゲートウェイ装置Ｔ-Ｓ-ＧＷに対して「４.  Ｃｒｅａｔｅ  Ｂｅａｒｅｒ  Ｒｅｑｕｅｓｔメッセージ」を送信し、当該ハンドオーバ先サービングゲートウェイ装置Ｔ-Ｓ-ＧＷから「４ａ.  Ｃｒｅａｔｅ  Ｂｅａｒｅｒ  Ｒｅｓｐｏｎｓｅメッセージ」を受信した後に、上述の「Ｌｏｃａｔｉｏｎ  Ｒｅｐｏｒｔｉｎｇ  Ｃｏｎｔｒｏｌメッセージ」の内容を含む「５.  Ｈａｎｄｐｖｅｒ  Ｒｅｑｕｅｓｔメッセージ」を、ハンドオーバ先無線基地局Ｔ-ｅＮＢに対して送信する。
【００５５】
本実施形態に係る移動通信システムによれば、ハンドオーバ元無線基地局Ｓ-ｅＮＢが、上述の「Ｌｏｃａｔｉｏｎ  Ｒｅｐｏｒｔｉｎｇ  Ｃｏｎｔｒｏｌメッセージ」の内容を含む「Ｈａｎｄｏｖｅｒ  Ｒｅｑｕｉｒｅｄメッセージ」を送信することによって、ハンドオーバ先無線基地局Ｔ-ｅＮＢに対して、上述の「Ｌｏｃａｔｉｏｎ  Ｒｅｐｏｒｔｉｎｇ  Ｃｏｎｔｒｏｌメッセージ」の内容を通知するように構成されているため、移動局ＵＥが、Ｓ１ハンドオーバを行った場合に（すなわち、移動局ＵＥに関するＳ１ハンドオーバ手順が完了した後に）、ハンドオーバ先交換機Ｔ-ＭＭＥが、再度、ハンドオーバ先無線基地局Ｔ-ｅＮＢに対して、同一の「Ｌｏｃａｔｉｏｎ  Ｒｅｐｏｒｔｉｎｇ  Ｃｏｎｔｒｏｌ」メッセージを送信することなく、当該移動局ＵＥの位置情報を取得することができる。
【００５６】
（変更例１）
本発明の変更例１では、特定の通信を行っている移動局ＵＥの第１無線基地局から第２無線基地局へのハンドオーバ手順において、コアネットワーク装置ＣＮ（具体的には、交換機ＭＭＥ）が、かかる第２無線基地局に対して、「Ｌｏｃａｔｉｏｎ  Ｒｅｐｏｒｔｉｎｇ  Ｃｏｎｔｒｏｌメッセージ（位置情報報告指示を送信する）」を送信するように構成されている。
【００５７】
具体的には、図５に示す「Ｘ２ハンドオーバ手順」において、交換機ＭＭＥが、上述の「Ｌｏｃａｔｉｏｎ  Ｒｅｐｏｒｔｉｎｇ  Ｃｏｎｔｒｏｌメッセージ」の内容を含む「１６.  Ｐａｔｈ  Ｓｗｉｔｃｈ  Ｒｅｑｕｅｓｔ  Ａｃｋメッセージ」を、ハンドオーバ先無線基地局Ｔ-ｅＮＢに送信するように構成されている。
【００５８】
かかる移動通信システムによれば、交換機ＭＭＥが、上述の「Ｌｏｃａｔｉｏｎ  Ｒｅｐｏｒｔｉｎｇ  Ｃｏｎｔｒｏｌメッセージ」の内容を含む「Ｐａｔｈ  Ｓｗｉｔｃｈ  Ｒｅｑｕｅｓｔ  Ａｃｋメッセージ」を送信することによって、ハンドオーバ先無線基地局Ｔ-ｅＮＢに対して、上述の「Ｌｏｃａｔｉｏｎ  Ｒｅｐｏｒｔｉｎｇ  Ｃｏｎｔｒｏｌメッセージ」の内容を通知するように構成されているため、移動局ＵＥが、Ｘ２ハンドオーバを行った場合に（すなわち、移動局ＵＥに関するＸ２ハンドオーバ手順が完了した後に）、交換機ＭＭＥが、再度、ハンドオーバ先無線基地局Ｔ-ｅＮＢに対して、同一の「Ｌｏｃａｔｉｏｎ  Ｒｅｐｏｒｔｉｎｇ  Ｃｏｎｔｒｏｌ」メッセージを送信することなく、当該移動局ＵＥの位置情報を取得することができる。
【００５９】
（変更例２）
図８を参照して、本発明の変更例２に係るＬＴＥ方式の移動通信システムにおいて、移動局ＵＥが、無線基地局ｅＮＢ配下のハンドオーバ元セル（セル１）から、かかる無線基地局ｅＮＢ配下のハンドオーバ先セル（セル２）にハンドオーバ（Ｉｎｔｒａ-ｅＮＢハンドオーバ）を行う場合の例について説明する。
【００６０】
図８に示すように、ステップＳ５０１において、交換局ＭＭＥが、移動局ＵＥが通信中の無線基地局ｅＮＢに対して、移動局ＵＥの位置情報を報告するように指示する「Ｌｏｃａｔｉｏｎ  Ｒｅｐｏｒｔｉｎｇ  Ｃｏｎｔｒｏｌメッセージ」を送信する。
【００６１】
ステップＳ５０２において、移動局ＵＥの無線基地局ｅＮＢ配下のセル１からのセル２へのハンドオーバ手順（Ｉｎｔｒａ-ｅＮＢハンドオーバ手順）が行われる。
【００６２】
ステップＳ５０３において、無線基地局ｅＮＢは、移動局ＵＥに対して、「Ｈａｎｄｏｖｅｒ  Ｃｏｍｍａｎｄメッセージ」を送信し、ステップＳ５０４において、移動局ＵＥが、無線基地局Ｔ-ｅＮＢに対して、「Ｈａｎｄｏｖｅｒ  Ｃｏｎｆｉｒｍメッセージ」を送信する。
【００６３】
ステップＳ５０５において、無線基地局ｅＮＢは、交換局ＭＭＥに対して、移動局ＵＥの位置情報（例えば、セルの識別情報）を通知するための「Ｌｏｃａｔｉｏｎ  Ｒｅｐｏｒｔメッセージ」を送信する。
【００６４】
（変更例３）
図９を参照して、本発明の変更例３に係るＬＴＥ方式の移動通信システムにおいて、移動局ＵＥが、無線基地局ｅＮＢ配下のハンドオーバ元セル（セル１）から、かかる無線基地局ｅＮＢ配下のハンドオーバ先セル（セル２）にハンドオーバ（Ｉｎｔｒａ-ｅＮＢハンドオーバ）を行う場合の例について説明する。
【００６５】
図９に示すように、ステップＳ１００１において、交換局ＭＭＥが、移動局ＵＥが通信中のハンドオーバ元無線基地局Ｓ-ｅＮＢに対して、移動局ＵＥの位置情報を報告するように指示する「Ｌｏｃａｔｉｏｎ  Ｒｅｐｏｒｔｉｎｇ  Ｃｏｎｔｒｏｌメッセージ」を送信する。
【００６６】
その結果、ハンドオーバ元無線基地局Ｓ-ｅＮＢは、所定タイミングで、交換局ＭＭＥに対して、移動局ＵＥの位置情報を報告する。
【００６７】
その後、ステップＳ１００２において、移動局ＵＥのハンドオーバ元無線基地局Ｓ-ｅＮＢ配下のセルからハンドオーバ先無線基地局Ｔ-ｅＮＢ配下のセル１へのハンドオーバ手順（Ｉｎｔｅｒ-ｅＮＢハンドオーバ手順、Ｘ２ハンドオーバ手順）が行われる。
【００６８】
ここで、「Ｌｏｃａｔｉｏｎ  Ｒｅｐｏｒｔｉｎｇ  Ｃｏｎｔｒｏｌメッセージ」は、ハンドオーバ元無線基地局Ｓ-ｅＮＢからハンドオーバ先無線基地局Ｔ-ｅＮＢに通知される。
【００６９】
ステップＳ１００３において、移動局ＵＥのハンドオーバ先無線基地局Ｔ-ｅＮＢ配下のセル１からのセル２へのハンドオーバ手順（Ｉｎｔｒａ-ｅＮＢハンドオーバ手順）が行われる。
【００７０】
ステップＳ１００４において、ハンドオーバ先無線基地局Ｔ-ｅＮＢは、移動局ＵＥに対して、「Ｈａｎｄｏｖｅｒ  Ｃｏｍｍａｎｄメッセージ」を送信し、ステップＳ１００５において、移動局ＵＥが、ハンドオーバ先無線基地局Ｔ-ｅＮＢに対して、「Ｈａｎｄｏｖｅｒ  Ｃｏｎｆｉｒｍメッセージ」を送信する。
【００７１】
ステップＳ１００６において、ハンドオーバ先無線基地局Ｔ-ｅＮＢは、交換局ＭＭＥに対して、移動局ＵＥの位置情報（例えば、セルの識別情報）を通知するための「Ｌｏｃａｔｉｏｎ  Ｒｅｐｏｒｔメッセージ」又は「Ｐａｔｈ  Ｓｗｉｔｃｈ  Ｒｅｑｕｅｓｔメッセージ」を送信する。
【００７２】
なお、上述の移動局ＵＥや無線基地局ｅＮＢや交換機ＭＭＥやサービングゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御装置ＲＮＣ内に設けられていてもよい。また、かかる記憶媒体及びプロセッサは、ディスクリートコンポーネントとして移動局ＵＥや無線基地局ｅＮＢや交換機ＭＭＥやサービングゲートウェイ装置Ｓ-ＧＷ内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
ＭＭＥ…交換機
Ｓ-ＧＷ…サービングゲートウェイ装置
ｅＮＢ…無線基地局
１１…位置情報報告指示受信部
１２…位置情報報告部
１３…位置情報報告指示転送部
ＵＥ…移動局
ＰＤＮ-ＧＷ…パケットデータネットワークゲートウェイ装置
ＨＳＳ…ホーム加入者サーバ
【図１】
2010119131.tif 000003
【図２】
2010119131.tif 000004
【図３】
2010119131.tif 000005
【図４】
2010119131.tif 000006
【図５】
2010119131.tif 000007
【図６】
2010119131.tif 000008
【図７】
2010119131.tif 000009
【図８】
2010119131.tif 000010
【図９】
2010119131.tif 000011
【図１０】
2010119131.tif 000012